(57)【要約】【課題】アクセスログを解析することで、ユーザ毎にサイト内の閲覧履歴を求められるにして、サイト全体として、サイト内で多く見られている重複情報をユーザに推薦提案する。【解決手段】推薦ページ画面表示処理手段が、集合した全部のセッションの中から、画面に表示された任意のページがそれぞれ含まれる全部のセッションを抽出し、抽出された全部のセッションのそれぞれに重複して包含されて出現する関連するページの出現回数をページ毎に集計し、集計の結果、出現回数の高いページを所定の範囲で特定し、特定されたページについて推薦ページとして任意のページを表示する画面に付随させて画面表示指示する。【選択図】図１
2011070378.tif 000002
【特許請求の範囲】
【請求項１】
要求に応じて蓄積された情報を提供する情報提供システムにおいて、
ユーザ毎に、関連するものとして並べられた複数のページで構成されたセッションであって、複数のセッションにはユーザ間で重複するページが設定され、これらのセッションを集合して格納するデータベースと、
アクセスログを解析してユーザがアクセスしたページを求め、該アクセスしたページが包含されるセッションの全部を集合させるセッション解析手段と、
ユーザの要求によってアクセスされて任意のページが画面表示手段の画面に表示された時に、当該ページを表示する画面に、該画面に関連して推薦するページを表示する画面を加えて推薦ページを表示指示する画面表示指示手段と、を備えて推薦ページ画面表示処理手段が構成され、
該推薦ページ画面表示処理手段が、前記集合した全部のセッションの中から、前記画面に表示された任意のページがそれぞれ含まれる全部のセッションを抽出し、該抽出された全部のセッションのそれぞれに重複して包含されて出現する関連するページの出現回数をページ毎に集計し、集計の結果、出現回数の高いページを所定の範囲で特定し、特定されたページについて推薦ページとして前記任意のページを表示する画面に付随させて画面表示指示し、
当該画面表示指示に基づいて前記画面表示手段が画面に前記任意のページに付随させて推薦ページを表示すること
を特徴とする情報提供システム。
【請求項２】
請求項１において、前記データベースには、複数のページが時系列関連を含んで並べられて格納されることを特徴とする情報提供システム。
【請求項３】
請求項１または２において、前記推薦ページ画面表示処理手段は、前記抽出された全部のセッションのそれぞれに包含されて出現する関連するページの出現回数として、各セッションで当該ページが最新にアクセスされた後の関連ページについての出現回数を集計することを特徴とする情報提供システム。
【請求項４】
ユーザ毎に、関連するものとして並べられた複数のページで構成されたセッションであって、複数のセッションにはユーザ間で重複するページが設定され、これらのセッションを集合して格納するデータベースと、
アクセスログを解析してユーザがアクセスしたページを求め、該アクセスしたページが包含されるセッションの全部を集合させるセッション解析手段と、
ユーザの要求によってアクセスされて任意のページが画面表示手段の画面に表示された時に、当該ページを表示する画面に、該画面に関連して推薦するページを表示する画面を加えて推薦ページを表示指示する画面表示指示手段と、を備えて構成された推薦ページ画面表示処理手段を有して、要求に応じて蓄積された情報を提供する情報提供方法において、
該推薦ページ画面表示処理手段によって、前記集合した全部のセッションの中から、前記画面に表示された任意のページがそれぞれ含まれる全部のセッションが抽出され、該抽出された全部のセッションのそれぞれに重複して包含されて出現する関連するページの出現回数がページ毎に集計され、集計の結果、出現回数の高いページが所定の範囲で特定され、特定されたページが推薦ページとして前記任意のページを表示する画面に付随させて画面表示指示されること
を特徴とする情報提供方法。
【請求項５】
請求項４において、前記データベースには、複数のページが時系列関連を含んで並べられて格納されることを特徴とする情報提供方法。
【請求項６】
請求項４または５において、前記推薦ページ画面表示処理手段によって、前記抽出された全部のセッションのそれぞれに包含されて出現する関連するページの出現回数として、各セッションで当該ページが最新にアクセスされた後の関連ページについての出現回数が集計されることを特徴とする情報提供方法。
【発明の詳細な説明】
【技術分野】
【０００１】
本発明は、情報提供システムおよび情報提供方法に関する。
【背景技術】
【０００２】
特許文献１には、インターネット上のリンク集ページの解析情報を蓄積しておき、ユーザがクライアント端末で参照中のＷｅｂページのＵＲＬから、該ページが含まれるトピックのトップＵＲＬを判定し、このトピックトップＵＲＬに対してリンクしているリンク集をユーザに提示するブラウジング支援情報提示方法が記載されている。
【０００３】
特許文献２には、情報へのアクセスログを所定のアクセス単位で集計し、所定のアクセス単位においてアクセスされた複数の情報を、関連性がある情報として関連付ける関連付け手段と、関連付け手段によって関連付けされた複数の情報のうちの何れかが要求された際に、要求された情報を提供し、併せて、要求された情報に関連付けられた他の情報を提供するかまたは他の情報へのアクセス手段を提供する情報提供手段とを備える情報提供システムが記載されている。
【先行技術文献】
【特許文献】
【０００４】
【特許文献１】特開２００１−０９２８２９号公報
【特許文献２】特開２００９−８０５９８号公報
【発明の概要】
【発明が解決しようとする課題】
【０００５】
上述のように、従来アクセス単位においてアクセスされた複数の情報を関連性がある情報として関連づけておいて、要求された情報に関連付けられた他の情報を提供することが行われている。
【０００６】
しかし上述の技術にあってはアクセス単位においてアクセスされた複数の情報を関連づけるものであって、サイト全体として多くのユーザがどんな情報を見ているのかを調べ、提供することに対して不充分である。ユーザ毎にサイト内の閲覧履歴を求められるようにして、サイト全体として、サイト内で多く見られている重複情報をユーザに簡便に提供することが求められる。
【０００７】
本発明は、かかる点に鑑みアクセスログを解析することで、ユーザ毎にサイト内の閲覧履歴を求められるにして、サイト全体として、サイト内で多く見られている重複情報をユーザに推薦提案することを目的とする。
【課題を解決するための手段】
【０００８】
本発明は、要求に応じて蓄積された情報を提供する情報提供システムにおいて、
ユーザ毎に、関連するものとして並べられた複数のページで構成されたセッションであって、複数のセッションにはユーザ間で重複するページが設定され、これらのセッションを集合して格納するデータベースと、
アクセスログを解析してユーザがアクセスしたページを求め、該アクセスしたページが包含されるセッションの全部を集合させるセッション解析手段と、
ユーザの要求によってアクセスされて任意のページが画面表示手段の画面に表示された時に、当該ページを表示する画面に、該画面に関連して推薦するページを表示する画面を加えて推薦ページを表示指示する画面表示指示手段と、を備えて推薦ページ画面表示処理手段が構成され、
該推薦ページ画面表示処理手段が、前記集合した全部のセッションの中から、前記画面に表示された任意のページがそれぞれ含まれる全部のセッションを抽出し、該抽出された全部のセッションのそれぞれに重複して包含されて出現する関連するページの出現回数をページ毎に集計し、集計の結果、出現回数の高いページを所定の範囲で特定し、特定されたページについて推薦ページとして前記任意のページを表示する画面に付随させて画面表示指示し、
当該画面表示指示に基づいて前記画面表示手段が画面に前記任意のページに付随させて推薦ページを表示すること
を特徴とする情報提供システムを提供する。
【０００９】
本発明は、また、前記データベースには、複数のページが時系列関連を含んで並べられて格納されることを特徴とする情報提供システムを提供する。
【００１０】
本発明は、また、前記推薦ページ画面表示処理手段は、前記抽出された全部のセッションのそれぞれに包含されて出現する関連するページの出現回数として、各セッションで当該ページが最新にアクセスされた後の関連ページについての出現回数を集計することを特徴とする情報提供システム。
【００１１】
本発明は、ユーザ毎に、関連するものとして並べられた複数のページで構成されたセッションであって、複数のセッションにはユーザ間で重複するページが設定され、これらのセッションを集合して格納するデータベースと、
アクセスログを解析してユーザがアクセスしたページを求め、該アクセスしたページが包含されるセッションの全部を集合させるセッション解析手段と、
ユーザの要求によってアクセスされて任意のページが画面表示手段の画面に表示された時に、当該ページを表示する画面に、該画面に関連して推薦するページを表示する画面を加えて推薦ページを表示指示する画面表示指示手段と、を備えて構成された推薦ページ画面表示処理手段を有して、要求に応じて蓄積された情報を提供する情報提供方法において、
該推薦ページ画面表示処理手段によって、前記集合した全部のセッションの中から、前記画面に表示された任意のページがそれぞれ含まれる全部のセッションが抽出され、該抽出された全部のセッションのそれぞれに重複して包含されて出現する関連するページの出現回数がページ毎に集計され、集計の結果、出現回数の高いページが所定の範囲で特定され、特定されたページが推薦ページとして前記任意のページを表示する画面に付随させて画面表示指示されること
を特徴とする情報提供方法を提供する。
【００１２】
本発明は、また、前記データベースには、複数のページが時系列関連を含んで並べられて格納されることを特徴とする情報提供方法を提供する。
【００１３】
本発明は、また、前記推薦ページ画面表示処理手段によって、前記抽出された全部のセッションのそれぞれに包含されて出現する関連するページの出現回数として、各セッションで当該ページが最新にアクセスされた後の関連ページについての出現回数が集計されることを特徴とする情報提供方法を提供する。
【発明の効果】
【００１４】
推薦ページ画面表示処理手段が、集合した全部のセッションの中から、前記画面に表示された任意のページがそれぞれ含まれる全部のセッションを抽出し、抽出された全部のセッションのそれぞれに重複して包含されて出現する関連するページの出現回数をページ毎に集計するようにしているので、アクセスログを解析することで、ユーザ毎にサイト内の閲覧履歴を求めることができ、サイト全体として、サイト内で多く見られる重複情報をユーザに簡単に提供することができる。
【図面の簡単な説明】
【００１５】
【図１】本発明の実施例の構成を示すブロック図。
【図２】本発明の実施例の処理フローを示す図。
【図３】本実施例に画面に表示された例を示す図。
【発明を実施するための形態】
【００１６】
以下、本発明の実施例を図面に基づいて説明する。
【実施例】
【００１７】
図１は、本発明の実施例である情報提供システムの構成を示す図であり、図２は、この情報提供システムによる処理フローを示す図である。これらの図を用いて本実施例を説明する。
【００１８】
図１において、情報提供システム１００は、推薦ページ表示処理手段１、画像表示手段３から構成される。
【００１９】
推薦ページ表示処理手段１は、セッション解析手段４、抽出手段５、集計手段６、推薦ページ決定手段７、画像表示手段８およびデータベース９を含んで構成される。
【００２０】
入力手段３は、ＷＥＢサーバーアクセスログ（以下アクセスログという）を推薦ページ表示処理手段１のセッション解析手段４に出力する。すなわちセッション解析手段４は、アクセスログを入力する。セッション解析手段４は、解析プログラムを有してアクセスログを解析して、ユーザ毎にサイト内のページ閲覧履歴を求めることができる。
【００２１】
データベース９には、セッションが格納される。
【００２２】
図２に示すように、セッションは１−Ｎの複数のセッションから構成され、ユーザ毎に構成される（ユーザ１−Ｎ）。各セッションは関連するものとして並べられた複数のページで構成される。図には、ページが/ｅｃｏ．ｈｔｍｌ、/ｅａｒｔｈ．ｈｔｍｌ、/ｇｒｅｅｎ．ｈｔｍｌのように表示してある。そして、複数のセッションにはユーザ間で重複するページが設定される。例えば、図２にはセッション１とセッションＮにおいて重複したページが表示してある。一部のページのみが重複する形体であってもよい。
【００２３】
図２には、関連するページとして時系列的な関連を有するページが例として示してある。
【００２４】
このように、データベース９には、ユーザ毎に、関連するものとして並べられた複数のページで構成されたセッションであって、複数のセッション１−Ｎにはユーザ１−Ｎ間で重複するページが設定され、これらのセッションを集合して格納する。
【００２５】
セッション解析手段４は、図２に示すように、アクセスログを入力し、解析プログラムＰ１を用いて、ユーザ毎にアクセス、閲覧されたページを関連するものとして、例えば時系列で並べたセッションを出力する。この場合に、セッション解析手段４は、セッションの全部を集合させ、全セッション集合Ｓとして出力することができる。
【００２６】
セッション解析手段４は、入力したアクセスログを解析してユーザがアクセスしたページを求め、このアクセスしたページが包含されるセッションの全部を全セッション集合Ｓとして集合させる。
このようにして、事前処理としてのセッション解析がなされる。
【００２７】
図１において、推薦ページ表示処理手段１は、抽出手段５を備える。
【００２８】
図２において、抽出手段５は、任意ページ（例えば、/ｅｃｏ．ｈｔｍｌ）の入力および集合された全セッション（全セッション集合Ｓ）の入力を行い、抽出プログラムＰ２を用いて、例えば/ｅｃｏ．ｈｔｍｌを含むセッションを全セッション集合Sから抽出する。すなわち当該セッションや全セッション集合Sを参照し、特定することを行う。図２には、このようにして抽出されたセッション１、セッション２およびセッション３が表示され、それぞれ/ｅｃｏ．ｈｔｍｌが共通のページがアクセスされたことを示す。
【００２９】
この結果、/ｅｃｏ．ｈｔｍｌを含むセッションが/ｅｃｏ．ｈｔｍｌを含むセッション集合Ｓ´として求められた。すなわち、重複する共通のページを含むセッション集合Ｓ´が生成される。このように、当該任意ページを含むセッションの集合、抽出されたセッションの集合がセッションＳ´として生成される。
【００３０】
図１において、推薦ページ表示処理装置手段１は、集計手段６を備える。
【００３１】
図２において、集計手段６は集計プログラムＰ３を用いて関連したページ（関連ページ）の集計を行う。典型的な例は、抽出された全部のセッションＳ´のそれぞれのセッション１−３に包含されて出現する関連するページの出現回数として、各セッション（セッション１−３）で当該ページが最新にアクセスされた後の関連ページについての出現回数を集計することである。このように、各セッションで、/ｅｃｏ．ｈｔｍｌ以降にアクセスしたページ（例えばＮ個後まで）の出現回数が集計される。
【００３２】
図１において、推薦ページ表示処理手段１は、推薦ページ決定手段を備える。データベース９は、推薦ページおすすめルールを格納する。推薦ページおすすめルールは、出現回数あるいは頻度（以下、双方を含めて出現回数で説明する）に対応して推薦ページを決定する方則である。そして、このルールは、画面に表示する個数に対応して、推薦ページ数が決定し得る方則とされる。
【００３３】
推薦ページ決定手段７は、ルールをプログラム化した推薦ページ決定プログラムを用いて推薦ページの決定を行う。
【００３４】
図２において、集計結果Ｒとして関連ページ/ｅａｒｔｈ．ｈｔｍｌ、/ｇｒｅｅｎ．ｈｔｍｌ、/ｔｅａｍ６．ｈｔｍｌ、/ｎｅｗｓ．ｈｔｍｌ、/ｔｏｐｉｃｓ．ｈｔｍｌについての出現回数がセッション１−３に包含された関連ページに基づいて、表示される。これらの集計結果の出現回数がそのページのおすすめ度を示し、ルールに従って、推薦ページが決定される。
【００３５】
図１において、推薦ページ表示処理手段１は、画像表示指示手段８を備える。
画像表示指示手段８は、任意のページ（上述の例では、/ｅｃｏ．ｈｔｍｌ）に付随する形体で決定された推薦ページを画像表示手段２の画面に表示するよう指示し、データを出力する。
【００３６】
このように、推薦ページ画面表示処理手段１が、集合した全部のセッション（全セッション集合Ｓ）の中から、画面に表示された任意のページがそれぞれ含まれる全部のセッション（全セッション集合Ｓ´）を抽出し、抽出された全部のセッションのそれぞれに包含されて出現する関連するページの出現回数をページ毎に集計し、集計の結果、出現回数の高いページを所定の範囲で特定し、特定されたページについて推薦ページとして任意のページを表示する画面に付随させて画面表示指示し、この画面表示指示に基づいて前記画面表示手段が画面に前記任意のページに付随させて推薦ページを表示する。
【００３７】
なお、データベース９には、複数のページが時系列関連を含んで並べられて格納される。
【００３８】
図３は、画面表示手段２が、画面に任意のページに付随させて推薦ページを表示した例を示す。
【００３９】
任意のページを表示する画面には、
・ごみの分け方・出し方
・リサイクル事業
・マイバックを持参しよう
が表示されている。
【００４０】
このページがアクセスされると、上述した推薦ページ画面表示処理手段１の処理によって、推薦ページが“このページを見た人はこんなページも見ています”のようにして一体の画面として表示される。この例では、５件が表示される。
・粗大ゴミの出し方
・ごみ・資源の収集曜日
・ごみの分け方・出し方
・燃えないごみの出し方
・３Ｒ運動
上述のように、ごみ、資源の正しい分け方、出し方に加えて５つの推薦ページが表示される。
【００４１】
このように、本実施例によれば、ＷＥＢサーバーのアクセスログを解析することによって、ユーザ毎にサイト内のページの閲覧履（セッション）を求めることができる。
【００４２】
ある特定のページＸを見た後に、サイト全体にとってどんなページが多く見られているかを、各セッションでページＸのアクセス後に閲覧されているページを調べることで知ることができる。
【００４３】
そして、上述の手段によって得られた多く見られている関連ページを，ページＸを見ているユーザに推薦ページとして画面表示し、推薦することができる。
【符号の説明】
【００４４】
１…推薦ページ表示処理手段、２…画像表示手段、３…入力手段、４…セッション解析手段、５…抽出手段、６…集計手段、７…推薦ページ決定手段、８…画像表示指示手段、１００…情報提供システム。
【図１】
2011070378.tif 000003
【図２】
2011070378.tif 000004
【図３】
2011070378.tif 000005